(57)【特許請求の範囲】
【請求項１】
移動局装置であって、
ＰＳＲＳ＿ＯＦＦＳＥＴ(０)を示す情報と、ＰＳＲＳ＿ＯＦＦＳＥＴ(１)を示す情報を基地局装置から受信し、
次の数式を用いて、第１参照信号の送信に対する送信電力ＰＳＲＳおよび第２参照信号の送信に対する送信電力ＰＳＲＳを設定し、
前記第１参照信号および前記第２参照信号を前記基地局装置に送信し、
ＰＳＲＳ＿ＯＦＦＳＥＴ(ｋ)は、ｋ＝０およびｋ＝１に対して上位層から設定され、上位層の信号に基づいてトリガーされる前記第１参照信号の送信に対してｋ＝０であり、下りリンク制御情報に基づいてトリガーされる前記第２参照信号の送信に対してｋ＝１であり、
ｍｉｎ｛Ｘ，Ｙ｝は、ＸおよびＹの最小値として定義され、
ＰＣＭＡＸは、最大送信電力値であり、
ＰＯ＿ＰＵＳＣＨは、上位層によって設定され、
ＭＳＲＳは、前記第１参照信号または前記第２参照信号の送信の帯域幅に対応し、
ＰＬは、計算された下りリンクのパスロスであり、
αは、上位層によって設定され、
ｆは、送信電力制御コマンドに基づく値であることを特徴とする移動局装置。
【数１】
0005490173.tif 000005
【請求項２】
前記パスロスを、下りリンクの信号から計算する請求項１記載の移動局装置。
【請求項３】
前記第１参照信号は、ピリオディックサウンディング参照信号であり、
前記第２参照信号は、アピリオディックサウンディング参照信号である請求項１または請求項２記載の移動局装置。
【請求項４】
移動局装置へ実装される集積回路であって、
ＰＳＲＳ＿ＯＦＦＳＥＴ(０)を示す情報と、ＰＳＲＳ＿ＯＦＦＳＥＴ(１)を示す情報を基地局装置から受信し、
次の数式を用いて、第１参照信号の送信に対する送信電力ＰＳＲＳおよび第２参照信号の送信に対する送信電力ＰＳＲＳを設定し、
前記第１参照信号および前記第２参照信号を前記基地局装置に送信する機能と、を前記移動局装置に対して発揮させ、
ＰＳＲＳ＿ＯＦＦＳＥＴ(ｋ)は、ｋ＝０およびｋ＝１に対して上位層から設定され、上位層の信号に基づいてトリガーされる前記第１参照信号の送信に対してｋ＝０であり、下りリンク制御情報に基づいてトリガーされる前記第２参照信号の送信に対してｋ＝１であり、
ｍｉｎ｛Ｘ，Ｙ｝は、ＸおよびＹの最小値として定義され、
ＰＣＭＡＸは、最大送信電力値であり、
ＰＯ＿ＰＵＳＣＨは、上位層によって設定され、
ＭＳＲＳは、前記第１参照信号または前記第２参照信号の送信の帯域幅に対応し、
ＰＬは、計算された下りリンクのパスロスであり、
αは、上位層によって設定され、
ｆは、送信電力制御コマンドに基づく値であることを特徴とする集積回路。
【数２】
0005490173.tif 000006
【請求項５】
前記パスロスを、下りリンクの信号から計算する請求項４記載の集積回路。
【請求項６】
基地局装置であって、
ＰＳＲＳ＿ＯＦＦＳＥＴ(０)を示す情報と、ＰＳＲＳ＿ＯＦＦＳＥＴ(１)を示す情報を移動局装置に送信し、
第１参照信号および第２参照信号を前記移動局装置から受信し、
次の数式に基づいて、前記第１参照信号の送信に対する送信電力ＰＳＲＳおよび前記第２参照信号の送信に対する送信電力ＰＳＲＳは設定され、
ＰＳＲＳ＿ＯＦＦＳＥＴ(ｋ)は、ｋ＝０およびｋ＝１に対して上位層から設定され、上位層の信号に基づいてトリガーされる前記第１参照信号の送信に対してｋ＝０であり、下りリンク制御情報に基づいてトリガーされる前記第２参照信号の送信に対してｋ＝１であり、
ｍｉｎ｛Ｘ，Ｙ｝は、ＸおよびＹの最小値として定義され、
ＰＣＭＡＸは、最大送信電力値であり、
ＰＯ＿ＰＵＳＣＨは、上位層によって設定され、
ＭＳＲＳは、前記第１参照信号または前記第２参照信号の送信の帯域幅に対応し、
ＰＬは、計算された下りリンクのパスロスであり、
αは、上位層によって設定され、
ｆは、送信電力制御コマンドに基づく値であることを特徴とする基地局装置。
【数３】
0005490173.tif 000007
【請求項７】
基地局装置に用いられる無線通信方法であって、
ＰＳＲＳ＿ＯＦＦＳＥＴ(０)を示す情報と、ＰＳＲＳ＿ＯＦＦＳＥＴ(１)を示す情報を移動局装置に送信するステップと、
第１参照信号および第２参照信号を前記移動局装置から受信するステップと、を少なくとも含み、
次の数式に基づいて、前記第１参照信号の送信に対する送信電力ＰＳＲＳおよび前記第２参照信号の送信に対する送信電力ＰＳＲＳは設定され、
ＰＳＲＳ＿ＯＦＦＳＥＴ(ｋ)は、ｋ＝０およびｋ＝１に対して上位層から設定され、上位層の信号に基づいてトリガーされる前記第１参照信号の送信に対してｋ＝０であり、下りリンク制御情報に基づいてトリガーされる前記第２参照信号の送信に対してｋ＝１であり、
ｍｉｎ｛Ｘ，Ｙ｝は、ＸおよびＹの最小値として定義され、
ＰＣＭＡＸは、最大送信電力値であり、
ＰＯ＿ＰＵＳＣＨは、上位層によって設定され、
ＭＳＲＳは、前記第１参照信号または前記第２参照信号の送信の帯域幅に対応し、
ＰＬは、計算された下りリンクのパスロスであり、
αは、上位層によって設定され、
ｆは、送信電力制御コマンドに基づく値であることを特徴とする無線通信方法。
【数４】
0005490173.tif 000008
【請求項８】
基地局装置へ実装される集積回路であって、
ＰＳＲＳ＿ＯＦＦＳＥＴ(０)を示す情報と、ＰＳＲＳ＿ＯＦＦＳＥＴ(１)を示す情報を移動局装置に送信し、
第１参照信号および第２参照信号を前記移動局装置から受信する機能と、を前記基地局装置に対して発揮させ、
次の数式に基づいて、前記第１参照信号の送信に対する送信電力ＰＳＲＳおよび前記第２参照信号の送信に対する送信電力ＰＳＲＳは設定され、
ＰＳＲＳ＿ＯＦＦＳＥＴ(ｋ)は、ｋ＝０およびｋ＝１に対して上位層から設定され、上位層の信号に基づいてトリガーされる前記第１参照信号の送信に対してｋ＝０であり、下りリンク制御情報に基づいてトリガーされる前記第２参照信号の送信に対してｋ＝１であり、
ｍｉｎ｛Ｘ，Ｙ｝は、ＸおよびＹの最小値として定義され、
ＰＣＭＡＸは、最大送信電力値であり、
ＰＯ＿ＰＵＳＣＨは、上位層によって設定され、
ＭＳＲＳは、前記第１参照信号または前記第２参照信号の送信の帯域幅に対応し、
ＰＬは、計算された下りリンクのパスロスであり、
αは、上位層によって設定され、
ｆは、送信電力制御コマンドに基づく値であることを特徴とする集積回路。
【数５】
0005490173.tif 000009
【発明の詳細な説明】
【技術分野】
【０００１】
本発明は、移動局装置が、上りリンクのチャネル測定用の参照信号（サウンディング参照信号、Sounding Reference Signal; SRS）を基地局装置に送信する技術に関する。
【背景技術】
【０００２】
従来から、セルラー移動通信の無線アクセス方式および無線ネットワークの進化（以下、「Long Term Evolution (LTE)、または、「Evolved Universal Terrestrial Radio Access (EUTRA)」と称する。）、および、ＬＴＥより広帯域な周波数帯域を利用して、さらに高速なデータの通信を実現する無線アクセス方式および無線ネットワーク（以下、「Long Term Evolution-Advanced (LTE-A)」、または、「Advanced Evolved Universal Terrestrial Radio Access (A-EUTRA)」と称する。）が、第三世代パートナーシッププロジェクト（3rd Generation Partnership Project; 3GPP）において検討されている。
【０００３】
ＬＴＥでは、基地局装置から移動局装置への無線通信（下りリンク）の通信方式として、マルチキャリア送信である直交周波数分割多重（Orthogonal Frequency Division Multiplexing; OFDM）方式が用いられる。また、移動局装置から基地局装置への無線通信（上りリンク）の通信方式として、シングルキャリア送信であるＳＣ−ＦＤＭＡ（Single-Carrier Frequency Division Multiple Access）方式が用いられる。
【０００４】
ＬＴＥの上りリンクでは、基地局装置は、移動局装置が送信する上りリンクのチャネル測定用の参照信号（サウンディング参照信号、Sounding Reference Signal; SRS）を利用して、データ送信用のチャネルであるＰＵＳＣＨの無線リソース割当、符号化率、変調方式を決定する。
【０００５】
ＬＴＥの上りリンクでは、移動局装置の消費電力を抑えることや、他セルへの与干渉を低減することを目的として、送信電力制御（Transmit Power Control; TPC）を行なう。ＬＴＥにおいて規定されているＳＲＳの送信電力値を決定するために用いられる式を示す。
【０００６】
【数１】
0005490173.tif 000002
（１）式において、PSRS（ｉ）は、第ｉサブフレームにおけるＳＲＳの送信電力値を示す。min{X,Y}はX,Yのうち最小値を選択するための関数である。PO_PUSCHは、ＰＵＳＣＨの基本となる送信電力であり、上位層から指定される値である。PSRS_OFFSETは、ＰＵＳＣＨとＳＲＳの基本となる送信電力の差を示すオフセットであり、上位層から指定される値である。MSRSはＳＲＳの送信に使用される無線リソース割り当てなどの単位である物理リソースブロック（Physical Resource Block; PRB）数を示し、ＳＲＳの送信に使用される物理リソースブロック数が多くなるに従って、送信電力が大きくなることを示している。
【０００７】
また、ＰＬはパスロスを示し、αはパスロスに乗算する係数であり、上位層により指定される。ｆは下りリンク制御情報（Downlink Control Information; DCI）で送信されるＴＰＣコマンドから算出されるオフセット値（閉ループまたは開ループによる送信電力制御値）である。また、PCMAXは最大送信電力値であり、物理的な最大送信電力である場合や、上位層から指定される場合がある。
【０００８】
ＬＴＥ−Ａでは、ＬＴＥとの後方互換性(backward compatibility)を持つこと、つまり、ＬＴＥ−Ａの基地局装置が、ＬＴＥ−ＡおよびＬＴＥ両方の移動局装置と同時に無線通信を行ない、また、ＬＴＥ−Ａの移動局装置が、ＬＴＥ−ＡおよびＬＴＥ両方の基地局装置と無線通信を行なえるようにすることが求められており、ＬＴＥ−ＡはＬＴＥと同一のチャネル構造を用いることが検討されている。
【０００９】
非特許文献１では、ＬＴＥ−ＡにおいてＳＲＳの精度を向上させるために、周期的なＳＲＳ送信に加え、移動局装置が基地局装置にＳＲＳの送信を要求された場合に１回だけＳＲＳを送信する技術を導入することを提案している。以下、従来の移動局装置が周期的に送信するＳＲＳをピリオディックＳＲＳ（periodic SRS）、基地局装置に要求された場合に１回だけ送信するＳＲＳをアピリオディックＳＲＳ（aperiodic SRS、またはone shot SRS、scheduled SRS）と称する。具体的には、基地局装置は移動局装置にピリオディックＳＲＳに関する周期、無線リソース（周波数帯域やサイクリックシフト）の設定とは別に、アピリオディックＳＲＳに関する無線リソース設定をし、ＰＤＣＣＨで送信する下りリンク制御情報にＳＲＳを要求するインディケータを含め、移動局装置に送信する。移動局装置は当該インディケータでＳＲＳを要求されるとアピリオディックＳＲＳに関する設定に従って１回のみＳＲＳを送信する。
【先行技術文献】
【非特許文献】
【００１０】
【非特許文献１】" Channel sounding enhancements for LTE-Advanced", 3GPP TSG RAN WG1 Meeting #59, R1-094653, November 9-13, 2009.
【発明の概要】
【発明が解決しようとする課題】
【００１１】
しかしながら、ピリオディックＳＲＳとアピリオディックＳＲＳの送信電力制御を従来と同じように（１）式を用いて行なった場合、ピリオディックＳＲＳとアピリオディックＳＲＳの１つの物理リソースブロックに対する送信電力が同じになってしまう。また、ＳＲＳの送信に用いる物理リソースブロックの数に応じて送信電力が高くなるため、アピリオディックＳＲＳの送信に用いる帯域幅がピリオディックＳＲＳの送信に用いる帯域幅と比較して１０倍の場合、ピリオディックＳＲＳの送信電力と比較してアピリオディックＳＲＳの送信電力が１０倍になってしまう。
【００１２】
このように、従来の（１）式を用いてＳＲＳの送信電力制御を行なうと、ピリオディックＳＲＳとアピリオディックＳＲＳの送信電力を個別に制御することができないという問題があった。
【００１３】
本発明は、このような事情に鑑みてなされたものであり、ピリオディックＳＲＳとアピリオディックＳＲＳの各々に対して、最適な送信電力制御をすることができる移動局装置、基地局装置および集積回路を提供することを目的とする。
【課題を解決するための手段】
【００１４】
（１）上記の目的を達成するために、本発明は、以下のような手段を講じた。すなわち、本発明の無線通信システムは、基地局装置および移動局装置で構成され、前記移動局装置が複数の参照信号のうち第１参照信号または第２参照信号を前記基地局装置に対して送信する無線通信システムであって、前記基地局装置は、前記第１参照信号の送信電力制御に用いる第１パラメータおよび前記第２参照信号の送信電力制御に用いる第２パラメータを設定し、前記設定した第１パラメータおよび第２パラメータを前記移動局装置に対して通知し、前記移動局装置は、前記第１パラメータおよび第２パラメータを受信し、前記第１パラメータを用いて前記第１参照信号の送信電力制御を行なう一方、前記第２パラメータを用いて前記第２参照信号の送信電力制御を行ない、前記送信電力制御を行なった第１参照信号および／または第２参照信号を前記基地局装置に対して送信することを特徴とする。
【００１５】
この構成により、基地局装置は、第１参照信号と第２参照信号の帯域幅（物理リソースブロック数）などに応じて、第１参照信号と第２参照信号の各々に対して、第１パラメータと第２パラメータを設定することが可能となり、移動局装置が送信する第１参照信号または第２参照信号の各々に対して、最適な送信電力制御を行なうことが可能となる。
【００１６】
（２）また、本発明の無線通信システムにおいて、前記移動局装置は、複数の送信アンテナポートを備え、前記基地局装置は、前記移動局装置が備える複数の送信アンテナポートの各々に対して、前記第１パラメータおよび第２パラメータを設定し、前記移動局装置は、前記第１参照信号を送信する際に、前記送信アンテナポート毎に前記第１パラメータを用いて前記第１参照信号の送信電力制御を行ない、前記第２参照信号を送信する際に、前記送信アンテナポート毎に前記第２パラメータを用いて前記第２参照信号の送信電力制御を行なうことを特徴とする。
【００１７】
この構成により、移動局装置の優先度の高い送信アンテナポート、例えば、信号を送信している送信アンテナポートの送信電力を高くする一方、優先度の低い送信アンテナポート、例えば、信号を送信しないアンテナポートの送信電力を低くすることが可能となる。これにより、送信アンテナポートの優先度に応じて、柔軟な送信電力制御を行なうことが可能となる。
【００１８】
（３）また、本発明の無線通信システムにおいて、前記第１参照信号は、前記基地局装置が上りリンクのチャネル測定を行なうために、前記基地局装置によって設定されたタイミングで前記移動局装置から送信され、前記第２参照信号は、前記基地局装置が上りリンクのチャネル測定を行なうために、前記基地局装置が前記移動局装置に対して送信を要求した場合に、特定の回数だけ前記移動局装置から送信されるものであることを特徴とする。
【００１９】
この構成により、ＬＴＥ−Ａ（Long Term Evolution-Advanced）の無線通信システムに適用することが可能となる。
【００２０】
（４）また、本発明の移動局装置は、基地局装置および移動局装置で構成され、前記移動局装置が複数の参照信号のうち第１参照信号または第２参照信号を前記基地局装置に対して送信する無線通信システムに適用される移動局装置であって、前記基地局装置で設定され、前記第１参照信号の送信電力制御に用いる第１パラメータおよび前記第２参照信号の送信電力制御に用いる第２パラメータを受信する移動局側受信部と、前記第１パラメータを用いて前記第１参照信号の送信電力制御を行なう一方、前記第２パラメータを用いて前記第２参照信号の送信電力制御を行なう移動局側上位層処理部と、前記送信電力制御を行なった第１参照信号および／または第２参照信号を前記基地局装置に対して送信する移動局側送信部と、を備えることを特徴とする。
【００２１】
この構成により、基地局装置は、第１参照信号と第２参照信号の帯域幅（物理リソースブロック数）などに応じて、第１参照信号と第２参照信号の各々に対して、第１パラメータと第２パラメータを設定し、移動局装置が送信する第１参照信号または第２参照信号の各々に対して、最適な送信電力制御を行なうことが可能となる。
【００２２】
（５）また、本発明の移動局装置は、複数の送信アンテナポートを備え、前記移動局側受信部は、前記基地局装置が送信した前記複数の送信アンテナポートの各々に対する第１パラメータおよび第２パラメータを受信し、前記移動局側上位層処理部は、前記第１参照信号を送信する際に、前記送信アンテナポート毎に前記第１パラメータを用いて前記第１参照信号の送信電力制御を行ない、前記第２参照信号を送信する際に、前記送信アンテナポート毎に前記第２パラメータを用いて前記第２参照信号の送信電力制御を行なうことを特徴とする。
【００２３】
この構成により、移動局装置の優先度の高い送信アンテナポート、例えば、信号を送信している送信アンテナポートの送信電力を高くする一方、優先度の低い送信アンテナポート、例えば、信号を送信しないアンテナポートの送信電力を低くすることが可能となる。これにより、送信アンテナポートの優先度に応じて、柔軟な送信電力制御を行なうことが可能となる。
【００２４】
（６）また、本発明の移動局装置において、前記第１参照信号は、前記基地局装置が上りリンクのチャネル測定を行なうために、前記基地局装置によって設定されたタイミングで送信し、前記第２参照信号は、前記基地局装置が上りリンクのチャネル測定を行なうために、前記基地局装置から送信を要求された場合に、特定の回数だけ送信するものであることを特徴とする。
【００２５】
この構成により、ＬＴＥ−Ａ（Long Term Evolution-Advanced）の無線通信システムに適用することが可能となる。
【００２６】
（７）また、本発明の基地局装置は、基地局装置および移動局装置で構成され、前記移動局装置が複数の参照信号のうち第１参照信号または第２参照信号を前記基地局装置に対して送信する無線通信システムに適用される基地局装置であって、前記第１参照信号の送信電力制御に用いる第１パラメータおよび前記第２参照信号の送信電力制御に用いる第２パラメータを設定する基地局側上位層処理部と、前記設定した第１パラメータおよび第２パラメータを前記移動局装置に対して通知する基地局側送信部と、を備えることを特徴とする。
【００２７】
この構成により、基地局装置は、第１参照信号と第２参照信号の帯域幅（物理リソースブロック数）などに応じて、第１参照信号と第２参照信号の各々に対して、第１パラメータと第２パラメータを設定することが可能となり、移動局装置が送信する第１参照信号または第２参照信号の各々に対して、最適な送信電力制御を行なうことが可能となる。
【００２８】
（８）また、本発明の基地局装置において、前記基地局側上位層処理部は、前記移動局装置が備える複数の送信アンテナポートの各々に対して、前記第１パラメータおよび前記第２パラメータを設定することを特徴とする。
【００２９】
この構成により、移動局装置の優先度の高い送信アンテナポート、例えば、信号を送信している送信アンテナポートの送信電力を高くする一方、優先度の低い送信アンテナポート、例えば、信号を送信しないアンテナポートの送信電力を低くすることが可能となる。これにより、送信アンテナポートの優先度に応じて、柔軟な送信電力制御を行なうことが可能となる。
【００３０】
（９）また、本発明の基地局装置において、前記第１参照信号は、自装置が上りリンクのチャネル測定を行なうために、設定したタイミングで前記移動局装置から送信され、前記第２参照信号は、自装置が上りリンクのチャネル測定を行なうために、前記移動局装置に対して送信を要求した場合に、特定の回数だけ前記移動局装置から送信されるものであることを特徴とする。
【００３１】
この構成により、ＬＴＥ−Ａ（Long Term Evolution-Advanced）の無線通信システムに適用することが可能となる。
【００３２】
（１０）また、本発明の無線通信方法は、基地局装置および移動局装置で構成され、前記移動局装置が複数の参照信号のうち第１参照信号または第２参照信号を前記基地局装置に対して送信する無線通信システムの無線通信方法であって、前記基地局装置において、前記第１参照信号の送信電力制御に用いる第１パラメータおよび前記第２参照信号の送信電力制御に用いる第２パラメータを設定するステップと、前記設定した第１パラメータおよび第２パラメータを前記移動局装置に対して通知するステップと、前記移動局装置において、前記第１パラメータおよび第２パラメータを受信するステップと、前記第１パラメータを用いて前記第１参照信号の送信電力制御を行なう一方、前記第２パラメータを用いて前記第２参照信号の送信電力制御を行なうステップと、前記送信電力制御を行なった第１参照信号および／または第２参照信号を前記基地局装置に対して送信するステップと、を少なくとも含むことを特徴とする。
【００３３】
この構成により、基地局装置は、第１参照信号と第２参照信号の帯域幅（物理リソースブロック数）などに応じて、第１参照信号と第２参照信号の各々に対して、第１パラメータと第２パラメータを設定することが可能となり、移動局装置が送信する第１参照信号または第２参照信号の各々に対して、最適な送信電力制御を行なうことが可能となる。
【００３４】
（１１）また、本発明の無線通信方法は、前記基地局装置において、前記移動局装置が備える複数の送信アンテナポートの各々に対して、前記第１パラメータおよび第２パラメータを設定するステップと、前記移動局装置において、前記第１参照信号を送信する際に、前記送信アンテナポート毎に前記第１パラメータを用いて前記第１参照信号の送信電力制御を行ない、前記第２参照信号を送信する際に、前記送信アンテナポート毎に前記第２パラメータを用いて前記第２参照信号の送信電力制御を行なうステップと、を更に含むことを特徴とする。
【００３５】
この構成により、移動局装置の優先度の高い送信アンテナポート、例えば、信号を送信している送信アンテナポートの送信電力を高くする一方、優先度の低い送信アンテナポート、例えば、信号を送信しないアンテナポートの送信電力を低くすることが可能となる。これにより、送信アンテナポートの優先度に応じて、柔軟な送信電力制御を行なうことが可能となる。
【００３６】
（１２）また、本発明の無線通信方法において、前記第１参照信号は、前記基地局装置が上りリンクのチャネル測定を行なうために、前記基地局装置によって設定されたタイミングで前記移動局装置から送信され、前記第２参照信号は、前記基地局装置が上りリンクのチャネル測定を行なうために、前記基地局装置が前記移動局装置に対して送信を要求した場合に、特定の回数だけ前記移動局装置から送信されるものであることを特徴とする。
【００３７】
この構成により、ＬＴＥ−Ａ（Long Term Evolution-Advanced）の無線通信システムに適用することが可能となる。
【００３８】
（１３）また、本発明の集積回路は、移動局装置に実装されることにより、前記移動局装置に対して複数の機能を発揮させる集積回路であって、基地局装置が上りリンクのチャネル測定を行なうために、前記基地局装置によって設定されたタイミングで送信する第１参照信号、または、前記基地局装置が上りリンクのチャネル測定を行なうために、前記基地局装置から送信を要求された場合に、特定の回数だけ送信する第２参照信号を送信する機能と、前記基地局装置で設定され、前記第１参照信号の送信電力制御に用いる第１パラメータおよび前記第２参照信号の送信電力制御に用いる第２パラメータを受信する機能と、前記第１パラメータを用いて前記第１参照信号の送信電力制御を行なう一方、前記第２パラメータを用いて前記第２参照信号の送信電力制御を行なう機能と、前記送信電力制御を行なった第１参照信号および／または第２参照信号を前記基地局装置に対して送信する機能と、を含む一連の機能を、前記移動局装置に対して発揮させることを特徴とする。
【００３９】
この構成により、基地局装置は、第１参照信号と第２参照信号の帯域幅（物理リソースブロック数）などに応じて、第１参照信号と第２参照信号の各々に対して、第１パラメータと第２パラメータを設定し、移動局装置が送信する第１参照信号または第２参照信号の各々に対して、最適な送信電力制御を行なうことが可能となる。また、ＬＴＥ−Ａ（Long Term Evolution-Advanced）の無線通信システムに適用することが可能となる。
【００４０】
（１４）また、本発明の集積回路は、複数の送信アンテナポートを備える移動局装置に実装され、前記基地局装置が送信した前記複数の送信アンテナポートの各々に対する第１パラメータおよび第２パラメータを受信する機能と、前記第１参照信号を送信する際に、前記送信アンテナポート毎に前記第１パラメータを用いて前記第１参照信号の送信電力制御を行ない、前記第２参照信号を送信する際に、前記送信アンテナポート毎に前記第２パラメータを用いて前記第２参照信号の送信電力制御を行なう機能と、を更に備えることを特徴とする。
【００４１】
この構成により、移動局装置の優先度の高い送信アンテナポート、例えば、信号を送信している送信アンテナポートの送信電力を高くする一方、優先度の低い送信アンテナポート、例えば、信号を送信しないアンテナポートの送信電力を低くすることが可能となる。これにより、送信アンテナポートの優先度に応じて、柔軟な送信電力制御を行なうことが可能となる。
【００４２】
（１５）また、本発明の集積回路は、基地局装置に実装されることにより、前記基地局装置に対して複数の機能を発揮させる集積回路であって、自装置が上りリンクのチャネル測定を行なうために、設定したタイミングで前記移動局装置から送信される第１参照信号の送信電力制御に用いる第１パラメータ、または、自装置が上りリンクのチャネル測定を行なうために、前記移動局装置に対して送信を要求した場合に、特定の回数だけ前記移動局装置から送信される第２参照信号の送信電力制御に用いる第２パラメータを設定する機能と、前記設定した第１パラメータおよび第２パラメータを前記移動局装置に対して通知する機能と、を含む一連の機能を、前記基地局装置に対して発揮させることを特徴とする。
【００４３】
この構成により、基地局装置は、第１参照信号と第２参照信号の帯域幅（物理リソースブロック数）などに応じて、第１参照信号と第２参照信号の各々に対して、第１パラメータと第２パラメータを設定することが可能となり、移動局装置が送信する第１参照信号または第２参照信号の各々に対して、最適な送信電力制御を行なうことが可能となる。また、ＬＴＥ−Ａ（Long Term Evolution-Advanced）の無線通信システムに適用することが可能となる。
【００４４】
（１６）また、本発明の集積回路は、前記移動局装置が備える複数の送信アンテナポートの各々に対して、前記第１パラメータおよび前記第２パラメータを設定する機能を更に備えることを特徴とする。
【００４５】
この構成により、移動局装置の優先度の高い送信アンテナポート、例えば、信号を送信している送信アンテナポートの送信電力を高くする一方、優先度の低い送信アンテナポート、例えば、信号を送信しないアンテナポートの送信電力を低くすることが可能となる。これにより、送信アンテナポートの優先度に応じて、柔軟な送信電力制御を行なうことが可能となる。
【発明の効果】
【００４６】
本発明によれば、基地局装置は、移動局装置が送信する第１参照信号（ピリオディックＳＲＳ）と第２参照信号（アピリオディックＳＲＳ）の各々に対して、最適な送信電力制御をすることができる。
【図面の簡単な説明】
【００４７】
【図１】本発明の無線通信システムの概念図である。
【図２】本発明の上りリンクの無線フレームの構成の一例を示す概略図である。
【図３】本発明のＳＲＳを送信するための無線リソースについて説明する図である。
【図４】本発明のサウンディングサブフレームの詳細な構成を示す図である。
【図５】本発明のＳＲＳの送信方法について説明する図である。
【図６】本発明の基地局装置３の構成を示す概略ブロック図である。
【図７】本発明の移動局装置１の構成を示す概略ブロック図である。
【図８】本発明の移動局装置１と基地局装置３の動作の一例を示すシーケンスチャートである。
【図９】本発明の移動局装置１の動作の一例を示すフローチャートである。
【図１０】本発明の変形例の移動局装置１の動作の一例を示すフローチャートである。
【発明を実施するための形態】
【００４８】
（第１の実施形態）
以下、図面を参照しながら本発明の第１の実施形態について詳しく説明する。
＜無線通信システムについて＞
図１は、本発明の無線通信システムの概念図である。図１において、無線通信システムは、移動局装置１Ａ〜１Ｃ、および基地局装置３を具備する。図１は、基地局装置３から移動局装置１Ａ〜１Ｃへの無線通信（下りリンク）では、同期チャネル（Synchronization Channel; SCH）、下りリンクパイロットチャネル（または、「下りリンク参照信号（Downlink Reference Signal; DL RS）」とも称する。）、報知チャネル（Physical Broadcast Channel; PBCH）、下りリンク制御チャネル（Physical Downlink Control Channel; PDCCH）、下りリンク共用チャネル（Physical Downlink Shared Channel; PDSCH）、マルチキャストチャネル（Physical Multicast Channel; PMCH）、制御フォーマットインディケータチャネル（Physical Control Format Indicator Channel; PCFICH）、ＨＡＲＱインディケータチャネル（Physical Hybrid ARQ Indicator Channel; PHICH）が割り当てられることを示す。
【００４９】
また、図１は、移動局装置１Ａ〜１Ｃから基地局装置３への無線通信（上りリンク）では、上りリンクパイロットチャネル（または、「上りリンク参照信号（Uplink Reference Signal; UL RS)」とも称する。）、上りリンク制御チャネル（Physical Uplink Control Channel; PUCCH）、上りリンク共用チャネル（Physical Uplink Shared Channel; PUSCH）、ランダムアクセスチャネル（Physical Random Access Channel; PRACH）が割り当てられることを示す。上りリンク参照信号はは、ＰＵＳＣＨとＰＵＣＣＨの復調用の参照信号（復調参照信号、Demodulation Reference signal; DMRS）と上りリンクのチャネル推定用の参照信号（サウンディング参照信号、Sounding Reference Signal; SRS）がある。以下、移動局装置１Ａ〜１Ｃを移動局装置１という。
【００５０】
＜上りリンク無線フレームについて＞
図２は、本発明の上りリンクの無線フレームの構成の一例を示す概略図である。図２は、ある上りにおける無線フレームの構成を示す。図２において、横軸は時間領域、縦軸は周波数領域である。図２に示すように、上りリンクの無線フレームは、複数の上りリンクの物理リソースブロックペア（例えば、図２の破線で囲まれた領域）から構成されている。この上りリンクの物理リソースブロックペアは、無線リソースの割り当てなどの単位であり、予め決められた幅の周波数帯（ＰＲＢ帯域幅；１８０ｋＨｚ）および時間帯（２個のスロット＝１個のサブフレーム；１ｍｓ）からなる。
【００５１】
１個の上りリンクの物理リソースブロックペアは、時間領域で連続する２個の上りリンクの物理リソースブロック（ＰＲＢ帯域幅×スロット）から構成される。１個の上りリンクの物理リソースブロック（図２において、太線で囲まれている単位）は、周波数領域において１２個のサブキャリア（１５ｋＨｚ）から構成され、時間領域において７個のＳＣ−ＦＤＭＡシンボル（７１μｓ）から構成される。
【００５２】
時間領域においては、７個のＳＣ−ＦＤＭＡ（Single-Carrier Frequency Division Multiple Access）シンボル（７１μｓ）から構成されるスロット（０．５ｍｓ）、２個のスロットから構成されるサブフレーム（１ｍｓ）、１０個のサブフレームから構成される無線フレーム（１０ｍｓ）がある。周波数領域においては、上りリンクの帯域幅に応じて複数の上りリンクの物理リソースブロックが配置される。なお、１個のサブキャリアと１個のＳＣ−ＦＤＭＡシンボルから構成されるユニットを上りリンクのリソースエレメントと称する。
【００５３】
以下、上りリンクの無線フレーム内に割り当てられるチャネルについて説明をする。上りリンクの各サブフレームでは、例えば、ＰＵＣＣＨ、ＰＵＳＣＨ、ＤＭＲＳ、およびＳＲＳが割り当てられる。
【００５４】
まず、ＰＵＣＣＨについて説明をする。ＰＵＣＣＨは、上りリンクの帯域幅の両端の上りリンクの物理リソースブロックペア（左斜線でハッチングされた領域）に割り当てられる。ＰＵＣＣＨには、下りリンクのチャネル品質を示すチャネル品質情報（Channel Quality Information; CQI）、上りリンクの無線リソースの割り当ての要求を示すスケジューリング要求（Scheduling Request; SR）、ＰＤＳＣＨに対する受信応答であるＡＣＫ／ＮＡＣＫなど、通信の制御に用いられる情報である上りリンク制御情報（Uplink Control Information; UCI）の信号が配置される。
【００５５】
次に、ＰＵＳＣＨについて説明をする。ＰＵＳＣＨは、ＰＵＣＣＨが配置される上りリンクの物理リソースブロック以外の上りリンクの物理リソースブロックペア（ハッチングされない領域）に割り当てられる。ＰＵＳＣＨには、上りリンク制御情報、および上りリンク制御情報以外の情報であるデータ情報（トランスポートブロック; Transport Block）の信号が配置される。ＰＵＳＣＨの無線リソースは、上りリンクグラントを用いて割り当てられ、この上りリンクグラントを含むＰＤＣＣＨを受信したサブフレームから所定の時間後のサブフレームの上りリンクのサブフレームに配置される。
【００５６】
次に、ＳＲＳとＤＭＲＳについて説明をする。図３は、本発明のＳＲＳを送信するための無線リソースについて説明する図である。図３において、横軸は時間領域である。基地局装置３は、移動局装置１がＳＲＳを送信するための無線リソースを予約するサブフレームであるサウンディングサブフレームを設定する。具体的にはサウンディングサブフレームは基準となるサブフレームからのオフセットと周期が与えられる。また、サウンディングサブフレームは全移動局装置１に対して共通である。また、基地局装置３は、移動局装置１が実際にＳＲＳを送信するサウンディングサブフレームと無線リソースを設定し、移動局装置１は当該設定に従ってＳＲＳを周期的に送信する。
【００５７】
図４は、本発明のサウンディングサブフレームの詳細な構成を示す図である。ただし、図４にはＰＵＳＣＨとして利用できる帯域のみ記載しており、ＰＵＣＣＨとＰＲＡＣＨを送信する周波数帯域については省略している。図４において、横軸は時間領域、縦軸は周波数領域である。周波数領域において、１つのブロックはサブキャリアを表す。図４に示すように、ＳＣ−ＦＤＭＡシンボル各々は異なる用途に利用することができ、各スロットにおける３番のＳＣ−ＦＤＭＡシンボルはＤＭＲＳの送信のために利用される。1番のスロットにおける６番目のＳＣ−ＦＤＭＡシンボルはＳＲＳの送信のために利用される。ＳＲＳの送信のために予約される無線リソースの帯域幅は、ＰＵＳＣＨとして利用できる帯域幅とは別に基地局装置３が設定し、1番のスロットにおける６番目のＳＣ−ＦＤＭＡシンボルにおいてＳＲＳの送信のために予約されなかった無線リソースはＰＵＳＣＨとして利用することができる。
【００５８】
１番目のスロットにおける６番目以外のＳＣ−ＦＤＭＡシンボルはＰＵＳＣＨ送信用に利用される。ここで、ＤＭＲＳおよびＳＲＳは、他の移動局装置１との多重や、アンテナ識別のために直交符号が利用されており、ＣＡＺＡＣ（Constant Amplitude and zero-autocorrelation）系列を時間軸上でサイクリックシフト（cyclic shift）させた系列を利用する。ＤＭＲＳは、ＰＵＣＣＨと時間多重される場合、ＰＵＳＣＨとは異なるＳＣ−ＦＤＭＡシンボルに多重されるが、説明の簡略化のため詳細な説明は省略する。
【００５９】
図５は、本発明のＳＲＳの送信方法について説明する図である。図５において、横軸は時間領域、縦軸は周波数領域である。基地局装置３は、移動局装置１に共通のＳＲＳの送信に関する設定を行なう。この設定では、ＳＲＳ送信用の無線リソースが予約されたサブフレームであるサウンディングサブフレームの位置、ＳＲＳ送信用に予約された無線リソースの帯域幅を設定する。
【００６０】
また、基地局装置３は、移動局装置１各々に周期的にＳＲＳを送信するサブフレームと、周波数帯域とピリオディックＳＲＳのＣＡＺＡＣ系列に用いるサイクリックシフトの量を設定する。以下、周期的に送信されるＳＲＳのことをピリオディックＳＲＳ（periodic SRS）と称する。ピリオディックＳＲＳを送信するサブフレームはサウンディングサブフレームの一部であり、ピリオディックＳＲＳを送信する周波数帯域は、ＳＲＳ送信用に予約した周波数帯域の一部である。
【００６１】
また、基地局装置３は、ＰＤＣＣＨで送信する下りリンク制御情報（Downlink Control Information; DCI）に含まれるＳＲＳを要求するインディケータで要求した場合のみ移動局装置１がＳＲＳを送信するアピリオディックＳＲＳ（aperiodic SRS、またはone shot SRS、scheduled SRS）の設定を移動局装置１各々に設定する。この設定では、アピリオディックＳＲＳを送信する周波数帯域とアピリオディックＳＲＳのＣＡＺＡＣ系列に用いるサイクリックシフトの量を設定する。
【００６２】
なお、本明細書において、ピリオディックＳＲＳは、第１参照信号を構成し、アピリオディックＳＲＳは、第２参照信号を構成するものとする。
【００６３】
図５において、偶数番号のサブフレームがサウンディングサブフレームであり、帯域ＣがＳＲＳ送信用に予約された無線リソースの帯域幅である。また、移動局装置１は、サウンディングサブフレームのうち｛４、８、１２、１６、２０、２４｝番目のサブフレームでピリオディックＳＲＳを送信するよう設定されており、当該移動局装置１がピリオディックＳＲＳを送信する帯域は、帯域Ｃの一部である帯域Ａであり、１回のピリオディックＳＲＳの送信で帯域Ａの帯域幅の３分の１の帯域Ａ１、帯域Ａ２、帯域Ａ３のいずれか１つの帯域でピリオディックＳＲＳを送信する。帯域Ａ１、帯域Ａ２、帯域Ａ３でピリオディックＳＲＳを送信する順序は予め決められている。
【００６４】
また、図５において、帯域Ｃの一部である帯域ＢがアピリオディックＳＲＳ送信用に設定された周波数帯域であり、移動局装置１はサウンディングサブフレームのうち｛２、６、１８｝番目のサブフレームでアピリオディックＳＲＳを送信するよう基地局装置３に要求されている。なお、帯域Ａは帯域Ｂおよび／または帯域Ｃと同じ周波数帯域でもよく、帯域Ａを分割する数は３以外の数でもよく、帯域Ａを分割しなくてもよく、帯域Ｂは帯域Ｃと同じ周波数帯域でなくてもよく、帯域Ｂは帯域Ａを含まなくてもよい。なお、ピリオディックＳＲＳは１回だけＳＲＳを送信するように設定してもよい。
【００６５】
＜送信電力制御（Transmit Power Control; TPC）について＞
本発明の上りリンクでは、移動局装置１の消費電力を抑えることや、他セルへの与干渉を低減することを目的として、ピリオディックＳＲＳとアピリオディックの送信電力制御を行なう。本発明のピリオディックＳＲＳおよびアピリオディックＳＲＳの送信電力値を決定するために用いられる式を示す。
【００６６】
【数２】
0005490173.tif 000003
（２）式において、PSRS（ｉ）は、第ｉサブフレームにおけるＳＲＳの送信電力値を示す。min{X,Y}はX,Yのうち最小値を選択するための関数である。PO_PUSCHは、ＰＵＳＣＨの基本となる送信電力であり、上位層から指定される値である。MSRSはＳＲＳの送信に使用される無線リソース割り当てなどの単位である物理リソースブロック（Physical Resource Block; PRB）数を示し、ＳＲＳの送信に使用される物理リソースブロック数が多くなるに従って、送信電力が大きくなることを示している。また、ＰＬはパスロスを示し、αはパスロスに乗算する係数であり、上位層により指定される。ｆはＰＤＣＣＨに配置される下りリンク制御情報で送信されるＴＰＣコマンドから算出されるオフセット値（閉ループまたは開ループによる送信電力制御値）であり、ＰＵＳＣＨとＳＲＳで共通のパラメータである。また、PCMAXは最大送信電力値であり、物理的な最大送信電力である場合や、上位層から指定される場合がある。
【００６７】
PSRS_OFFSET(k)は、ＰＵＳＣＨとＳＲＳの基本となる送信電力の差を示すオフセットであり、上位層から指定される値である。ｋはピリオディックＳＲＳかアピリオディックＳＲＳかを示しており、例えば、ピリオディックＳＲＳの場合にはｋ＝０、アピリオディックＳＲＳの場合にはｋ＝１とする。ピリオディックＳＲＳのPSRS_OFFSET (0)とアピリオディックＳＲＳのPSRS_OFFSET (1)各々は上位層により指定される。このように、PSRS_OFFSETをピリオディックＳＲＳとアピリオディックＳＲＳで別々に設定することで、ピリオディックＳＲＳとアピリオディックＳＲＳの用途や、帯域幅（物理リソースブロック数）MSRS、最大送信電力値PCMAXを考慮して柔軟に送信電力制御をすることができる。
【００６８】
例えば、PSRS_OFFSETがピリオディックＳＲＳとアピリオディックＳＲＳで共通、PCMAX=23[dBm]、ピリオディックＳＲＳのPSRS=20[dBm]、ピリオディックＳＲＳのMSRS =4、アピリオディックＳＲＳのMSRS =16だとすると、アピリオディックＳＲＳの送信電力として移動局装置１が算出する電力は26[dBm]となってしまいPCMAXを超えてしまい、移動局装置１はPCMAX =23[dBm]でアピリオディックＳＲＳを送信する。しかし、基地局装置３はＰＬのパラメータを知らないため、算出したアピリオディックＳＲＳの送信電力がPCMAXを超え、PCMAXの電力でアピリオディックＳＲＳを送信していることがわからないため、正しいチャネル測定ができないが、本発明を用いることで、基地局装置３は、ピリオディックＳＲＳとアピリオディックＳＲＳのMSRSに応じて、ピリオディックＳＲＳとアピリオディックＳＲＳの送信電力として算出する値がPCMAXを超えないよう別々にPSRS_OFFSETを設定できる。
【００６９】
＜基地局装置３の構成について＞
図６は、本発明の基地局装置３の構成を示す概略ブロック図である。図示するように、基地局装置３は、上位層処理部１０１、制御部１０３、受信部１０５、送信部１０７、チャネル測定部１０９、および、送受信アンテナ１１１、を含んで構成される。また、上位層処理部１０１は、無線リソース制御部１０１１、ＳＲＳ設定部１０１３と送信電力設定部１０１５を含んで構成される。また、受信部１０５は、復号化部１０５１、復調部１０５３、多重分離部１０５５と無線受信部１０５７を含んで構成される。また、送信部１０７は、符号化部１０７１、変調部１０７３、多重部１０７５、無線送信部１０７７と下りリンク参照信号生成部１０７９を含んで構成される。
【００７０】
上位層処理部１０１は、パケットデータ統合プロトコル（Packet Data Convergence Protocol; PDCP）層、無線リンク制御（Radio Link Control; RLC）層、無線リソース制御（Radio Resource Control; RRC）層の処理を行なう。
【００７１】
上位層処理部１０１が備える無線リソース制御部１０１１は、下りリンクの各チャネルに配置する情報を生成、又は上位ノードから取得し、送信部１０７に出力する。また、無線リソース制御部１０１１は、上りリンクの無線リソースの中から、移動局装置１がＰＵＳＣＨ（データ情報）を配置する無線リソースを割り当てる。また、無線リソース制御部１０１１は、下りリンクの無線リソースの中から、ＰＤＳＣＨ（データ情報）を配置する無線リソースを決定する。無線リソース制御部１０１１は、当該無線リソースの割り当てを示す下りリンク制御情報を生成し、送信部１０７を介して移動局装置１に送信する。無線リソース制御部１０１１は、ＰＵＳＣＨを配置する無線リソースを割り当てる際に、チャネル測定部１０９から入力された上りリンクのチャネル測定結果を基に、チャネル品質の良い無線リソースを優先的に割り当てる。
【００７２】
移動局装置１からＰＵＣＣＨで通知された上りリンク制御情報（ＡＣＫ／ＮＡＣＫ、チャネル品質情報、スケジューリング要求）、および移動局装置１から通知されたバッファの状況や無線リソース制御部１０１１が設定した移動局装置１各々の各種設定情報に基づき、受信部１０５および送信部１０７の制御を行なうために制御情報を生成し、制御部１０３に出力する。
【００７３】
ＳＲＳ設定部１０１３は、移動局装置１がＳＲＳを送信するための無線リソースを予約するサブフレームであるサウンディングサブフレーム、およびサウンディングサブフレーム内でＳＲＳを送信するために予約する無線リソースの帯域幅を設定し、前記設定をシステム情報（System Information）として生成し、送信部１０７を介して、ＰＤＳＣＨで報知送信する。また、ＳＲＳ設定部１０１３は、移動局装置１各々に周期的にピリオディックＳＲＳを送信するサブフレーム、周波数帯域、およびピリオディックＳＲＳのＣＡＺＡＣ系列に用いるサイクリックシフトの量を設定し、前記設定を無線リソース制御信号（Radio Resource Control Signal）として生成し、送信部１０７を介して、移動局装置１各々にＰＤＳＣＨで通知する。
【００７４】
また、ＳＲＳ設定部１０１３は、移動局装置１各々にアピリオディックＳＲＳを送信する周波数帯域、およびアピリオディックＳＲＳのＣＡＺＡＣ系列に用いるサイクリックシフトの量を設定し、前記設定を無線リソース制御信号として生成し、送信部１０７を介して、移動局装置１各々にＰＤＳＣＨで通知する。また、ＳＲＳ設定部１０１３は、移動局装置１にアピリオディックＳＲＳを要求する場合、移動局装置１にアピリオディックＳＲＳを要求していることを示すＳＲＳインディケータを生成し、送信部１０７を介して、移動局装置１にＰＤＣＣＨで通知する。
【００７５】
送信電力設定部１０１５は、ＰＵＣＣＨ、ＰＵＳＣＨ、ピリオディックＳＲＳ、およびアピリオディックＳＲＳの送信電力を設定する。具体的には、送信電力設定部１０１５は、隣接する基地局装置３からの干渉量を示す情報、隣接する基地局装置３から通知された隣接する基地局装置３に与えている干渉量を示す情報、またチャネル測定部１０９から入力されたチャネルの品質などに応じて、ＰＵＳＣＨなどが所定のチャネル品質を満たすよう、また隣接する基地局装置３への干渉、移動局装置１の考慮し、送信電力を設定し、前記設定を示す情報を、送信部１０７を介して、移動局装置１に送信する。
【００７６】
具体的には、送信電力設定部１０１５は、（２）式のPO_PUSCH、α、ピリオディックＳＲＳ用のPSRS_OFFSET(0)（第１パラメータ）、アピリオディックＳＲＳ用のPSRS_OFFSET(1)（第２パラメータ）を設定し、前記設定を無線リソース制御信号として生成し、送信部１０７を介して、移動局装置１各々にＰＤＳＣＨで通知する。また、送信電力設定部１０１５は、（２）式のｆを算出するためのＴＰＣコマンドを設定し、ＴＰＣコマンドを生成し、送信部１０７を介して、移動局装置１各々にＰＤＣＣＨで通知する。
【００７７】
制御部１０３は、上位層処理部１０１からの制御情報に基づいて、受信部１０５、および送信部１０７の制御を行なう制御信号を生成する。制御部１０３は、生成した制御信号を受信部１０５、および送信部１０７に出力して受信部１０５、および送信部１０７の制御を行なう。
【００７８】
受信部１０５は、制御部１０３から入力された制御信号に従って、送受信アンテナ１１１を介して移動局装置１から受信した受信信号を分離、復調、復号し、復号した情報を上位層処理部１０１に出力する。無線受信部１０５７は、送受信アンテナ１１１を介して受信した上りリンクの信号を、中間周波数に変換し（ダウンコンバート）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部１０５７は、変換したディジタル信号からガードインターバル（Guard Interval; GI）に相当する部分を除去する。無線受信部１０５７は、ガードインターバルを除去した信号に対して高速フーリエ変換（Fast Fourier Transform; FFT）を行ない、周波数領域の信号を抽出し多重分離部１０５５に出力する。
【００７９】
多重分離部１０５５は、無線受信部１０５７から入力された信号をＰＵＣＣＨ、ＰＵＳＣＨ、ＤＭＲＳ、ＳＲＳなどの信号に、それぞれ分離する。なお、この分離は、予め基地局装置３が決定して各移動局装置１に通知した無線リソースの割当情報に基づいて行なわれる。また、多重分離部１０５５は、チャネル測定部１０９から入力された伝搬路の推定値から、ＰＵＣＣＨとＰＵＳＣＨの伝搬路の補償を行なう。また、多重分離部１０５５は、分離したＤＭＲＳおよびＳＲＳをチャネル測定部１０９に出力する。
【００８０】
復調部１０５３は、ＰＵＳＣＨを逆離散フーリエ変換（Inverse Discrete Fourier Transform; IDFT）し、変調シンボルを取得し、ＰＵＣＣＨとＰＵＳＣＨの変調シンボルそれぞれに対して、２位相偏移変調（Binary Phase Shift Keying; BPSK）、４相位相偏移変調（Quadrature Phase Shift Keying; QPSK）、１６値直交振幅変調（16Quadrature Amplitude Modulation; 16QAM）、６４値直交振幅変調（64Quadrature Amplitude Modulation; 64QAM）等の予め定められた、または基地局装置３が移動局装置１各々に下りリンク制御情報で予め通知した変調方式を用いて受信信号の復調を行なう。
【００８１】
復号化部１０５１は、復調したＰＵＣＣＨとＰＵＳＣＨの符号化ビットを、予め定められた符号化方式の予め定められた又は基地局装置３が移動局装置１に上りリンクグラントで予め通知した符号化率で復号を行ない、復号したデータ情報と、上りリンク制御情報を上位層処理部１０１へ出力する。
【００８２】
チャネル測定部１０９は、多重分離部１０５５から入力されたＤＭＲＳとＳＲＳから伝搬路の推定値、チャネルの品質などを測定し、多重分離部１０５５および上位層処理部１０１に出力する。
【００８３】
送信部１０７は、制御部１０３から入力された制御信号に従って、下りリンク参照信号を生成し、上位層処理部１０１から入力されたデータ情報、下りリンク制御情報を符号化、および変調し、ＰＤＣＣＨ、ＰＤＳＣＨ、および下りリンク参照信号を多重して、送受信アンテナを介して移動局装置１に信号を送信する。
【００８４】
符号化部１０７１は、上位層処理部１０１から入力された下りリンク制御情報、およびデータ情報を、ターボ符号化、畳込み符号化、ブロック符号化等の符号化を行なう。符号化部１０７１は、符号化ビットをＱＰＳＫ、１６ＱＡＭ、６４ＱＡＭ等の変調方式で変調する。下りリンク参照信号生成部１０７９は、基地局装置３を識別するためのセル識別子（Cell ID）などを基に予め定められた規則で求まる、移動局装置１が既知の系列を下りリンク参照信号として生成する。多重部１０７５は、変調した各チャネルと生成した下りリンク参照信号を多重する。
【００８５】
無線送信部１０７７は、多重した変調シンボルを逆高速フーリエ変換（Inverse Fast Fourier Transform; IFFT）して、ＯＦＤＭ方式の変調を行ない、ＯＦＤＭ変調されたＯＦＤＭシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート）し、余分な周波数成分を除去し、電力増幅し、送受信アンテナ１１１に出力して送信する。
【００８６】
＜移動局装置１の構成について＞
図７は、本実施形態に係る移動局装置１の構成を示す概略ブロック図である。図示するように、移動局装置１は、上位層処理部２０１、制御部２０３、受信部２０５、送信部２０７、チャネル測定部２０９、および、送受信アンテナ２１１、を含んで構成される。また、上位層処理部２０１は、無線リソース制御部２０１１、ＳＲＳ制御部２０１３と送信電力制御部２０１５を含んで構成される。また、受信部２０５は、復号化部２０５１、復調部２０５３、多重分離部２０５５と無線受信部２０５７を含んで構成される。また、送信部２０７は、符号化部２０７１、変調部２０７３、多重部２０７５と無線送信部２０７７を含んで構成される。
【００８７】
上位層処理部２０１は、ユーザの操作等により生成された上りリンクのデータ情報を、送信部２０７に出力する。また、上位層処理部２０１は、パケットデータ統合プロトコル層、無線リンク制御層、無線リソース制御層の処理を行なう。
【００８８】
上位層処理部２０１が備える無線リソース制御部２０１１は、自装置の各種設定情報の管理を行なう。また、無線リソース制御部２０１１は、上りリンクの各チャネルに配置する情報を生成し送信部２０７に出力する。無線リソース制御部２０１１は、基地局装置３からＰＤＣＣＨで通知された下りリンク制御情報、およびＰＤＳＣＨで通知された無線リソース制御情報で設定された無線リソース制御部２０１１が管理する自装置の各種設定情報に基づき、受信部２０５、および送信部２０７の制御を行なうために制御情報を生成し、制御部２０３に出力する。
【００８９】
上位層処理部２０１が備えるＳＲＳ制御部２０１３は、基地局装置３が報知しているＳＲＳを送信するための無線リソースを予約するサブフレームであるサウンディングサブフレーム、およびサウンディングサブフレーム内でＳＲＳを送信するために予約する無線リソースの帯域幅を示す情報、および、基地局装置３が自装置に通知したピリオディックＳＲＳを送信するサブフレーム、周波数帯域、およびピリオディックＳＲＳのＣＡＺＡＣ系列に用いるサイクリックシフトの量を示す情報、および、基地局装置３が自装置に通知したアピリオディックＳＲＳを送信する周波数帯域、およびアピリオディックＳＲＳのＣＡＺＡＣ系列に用いるサイクリックシフトの量を示す情報を、受信部２０５から取得する。
【００９０】
ＳＲＳ制御部２０１３は、前記情報に従ってＳＲＳ送信の制御を行なう。具体的には、ＳＲＳ制御部２０１３は、前記ピリオディックＳＲＳに関する情報に従ってピリオディックＳＲＳを１回または周期的に送信するよう送信部２０７を制御する。また、ＳＲＳ制御部２０１３は、送信部２０７から入力されたＳＲＳインディケータでアピリオディックＳＲＳの送信を要求された場合、前記アピリオディックＳＲＳに関する情報に従ってアピリオディックＳＲＳを予め定められた回数（例えば、１回）だけ送信する。
【００９１】
上位層処理部２０１が備える送信電力制御部２０１５は、ＰＵＣＣＨ、ＰＵＳＣＨ、ピリオディックＳＲＳ、およびアピリオディックＳＲＳの送信電力の設定を示す情報を基に、送信電力の制御を行なうよう制御部２０３に制御情報を出力する。具体的には、送信電力制御部２０１５は、送信部２０７から取得したPO_PUSCH、α、ピリオディックＳＲＳ用のPSRS_OFFSET(0)（第１パラメータ）、アピリオディックＳＲＳ用のPSRS_OFFSET(1)（第２パラメータ）、およびＴＰＣコマンドを基に、（２）式からピリオディックＳＲＳの送信電力とアピリオディックＳＲＳの送信電力各々を制御する。なお、PSRS_OFFSETはピリオディックＳＲＳかアピリオディックＳＲＳかに応じてパラメータを切り替える。
【００９２】
制御部２０３は、上位層処理部２０１からの制御情報に基づいて、受信部２０５、および送信部２０７の制御を行なう制御信号を生成する。制御部２０３は、生成した制御信号を受信部２０５、および送信部２０７に出力して受信部２０５、および送信部２０７の制御を行なう。
【００９３】
受信部２０５は、制御部２０３から入力された制御信号に従って、送受信アンテナ２１１を介して基地局装置３から受信した受信信号を、分離、復調、復号し、復号した情報を上位層処理部２０１に出力する。
【００９４】
無線受信部２０５７は、各受信アンテナを介して受信した下りリンクの信号を、中間周波数に変換し（ダウンコンバート）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部２０５７は、変換したディジタル信号からガードインターバルに相当する部分を除去し、ガードインターバルを除去した信号に対して高速フーリエ変換を行ない、周波数領域の信号を抽出する。
【００９５】
多重分離部２０５５は、抽出した信号をＰＤＣＣＨ、ＰＤＳＣＨ、および下りリンク参照信号に、それぞれ分離する。なお、この分離は、下りリンク制御情報で通知された無線リソースの割り当て情報などに基づいて行なわれる。また、多重分離部２０５５は、チャネル測定部２０９から入力された伝搬路の推定値から、ＰＤＣＣＨとＰＤＳＣＨの伝搬路の補償を行なう。また、多重分離部２０５５は、分離した下りリンク参照信号をチャネル測定部２０９に出力する。
【００９６】
復調部２０５３は、ＰＤＣＣＨに対して、ＱＰＳＫ変調方式の復調を行ない、復号化部２０５１へ出力する。復調部２０５３は、ＰＤＳＣＨに対して、ＱＰＳＫ、１６ＱＡＭ、６４ＱＡＭ等の下りリンク制御情報で通知された変調方式の復調を行ない、復号化部２０５１へ出力する。復号化部２０５１は、ＰＤＣＣＨの復号を試み、復号に成功した場合、復号した下りリンク制御情報を上位層処理部２０１に出力する。復号化部２０５１は、下りリンク制御情報で通知された符号化率に対する復号を行ない、復号したデータ情報を上位層処理部２０１へ出力する。
【００９７】
チャネル測定部２０９は、多重分離部２０５５から入力された下りリンク参照信号から下りリンクのパスロスを測定し、測定したパスロスを上位層処理部２０１へ出力する。また、チャネル測定部２０９は、下りリンク参照信号から下りリンクの伝搬路の推定値を算出し、多重分離部２０５５へ出力する。
【００９８】
送信部２０７は、制御部２０３から入力された制御信号に従って、ＤＭＲＳおよび／またはＳＲＳを生成し、上位層処理部２０１から入力されたデータ情報を符号化および変調し、ＰＵＣＣＨ、ＰＵＳＣＨ、および生成したＤＭＲＳおよび／またはＳＲＳを多重し、ＰＵＣＣＨ、ＰＵＳＣＨ、ＤＭＲＳ、およびＳＲＳの送信電力を調整し、送受信アンテナを介して基地局装置３に送信する。
【００９９】
符号化部２０７１は、上位層処理部２０１から入力された上りリンク制御情報、およびデータ情報を、ターボ符号化、畳込み符号化、ブロック符号化等の符号化を行なう。変調部２０７３は、符号化部２０７１から入力された符号化ビットをＢＰＳＫ、ＱＰＳＫ、１６ＱＡＭ、６４ＱＡＭ等の変調方式で変調する。
【０１００】
上りリンク参照信号生成部２０７９は、基地局装置３を識別するためのセル識別子、ＤＭＲＳおよびＳＲＳを配置する帯域幅などを基に予め定められた規則で求まる、基地局装置３が既知のＣＡＺＡＣ系列を生成する。また、上りリンク参照信号生成部２０７９は、制御部２０３から入力された制御信号に従って、生成したＤＭＲＳおよびＳＲＳのＣＡＺＡＣ系列にサイクリックシフトを与える。
【０１０１】
多重部２０７５は、制御部２０３から入力された制御信号に従って、ＰＵＳＣＨの変調シンボルを並列に並び替えてから離散フーリエ変換（Discrete Fourier Transform; DFT）し、ＰＵＣＣＨとＰＵＳＣＨの信号と生成したＤＭＲＳおよびＳＲＳを多重する。
【０１０２】
無線送信部２０７７は、多重した信号を逆高速フーリエ変換して、ＳＣ−ＦＤＭＡ方式の変調を行ない、ＳＣ−ＦＤＭＡ変調されたＳＣ−ＦＤＭＡシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート）し、余分な周波数成分を除去し、電力増幅し、送受信アンテナに出力して送信する。
【０１０３】
＜無線通信システムの動作について＞
図８は、本発明の移動局装置１と基地局装置３の動作の一例を示すシーケンスチャートである。基地局装置３は、（２）式のPO_PUSCH、α、ピリオディックＳＲＳ用のPSRS_OFFSET(0)（第１パラメータ）、アピリオディックＳＲＳ用のPSRS_OFFSET(1)（第２パラメータ）を設定し、移動局装置１に通知する（ステップＳ１００）。基地局装置３は、移動局装置１がＳＲＳを送信するための無線リソースを予約するサブフレームであるサウンディングサブフレーム、およびサウンディングサブフレーム内でＳＲＳを送信するために予約する無線リソースの帯域幅を設定し、移動局装置１に通知する（ステップＳ１０１）。
【０１０４】
基地局装置３は、ピリオディックＳＲＳを送信するサブフレーム、周波数帯域、およびピリオディックＳＲＳのＣＡＺＡＣ系列に用いるサイクリックシフトの量を設定し、移動局装置１に通知する（ステップＳ１０２）。基地局装置３は、アピリオディックＳＲＳを送信する周波数帯域、およびアピリオディックＳＲＳのＣＡＺＡＣ系列に用いるサイクリックシフトの量を設定し、移動局装置１に通知する（ステップＳ１０３）。移動局装置１は、ステップＳ１００からステップＳ１０３で通知されたパラメータをセットする（ステップＳ１０４）。
【０１０５】
移動局装置１は、ステップＳ１０４でセットしたピリオディックＳＲＳに関するパラメータに従って、ピリオディックＳＲＳを１回、または周期的に送信する（ステップＳ１０５）。なお、ピリオディックＳＲＳの送信電力は、ステップＳ１００で通知されたピリオディックＳＲＳ用のPSRS_OFFSET(0)（第１パラメータ）を用いて算出する。
【０１０６】
基地局装置３は、アピリオディックＳＲＳの送信を要求することを示すＳＲＳインディケータを送信し（ステップＳ１０６）。移動局装置１は、ＳＲＳインディケータでアピリオディックＳＲＳの送信を要求されていると判定すると（ステップＳ１０７）、ステップＳ１０４でセットしたアピリオディックＳＲＳに関するパラメータに従って、アピリオディックＳＲＳを予め定められた回数（例えば、１回）送信する（ステップＳ１０８）。なお、アピリオディックＳＲＳの送信電力は、ステップＳ１００で通知されたアピリオディックＳＲＳ用のPSRS_OFFSET(1)（第２パラメータ）を用いて算出する。
【０１０７】
移動局装置１と基地局装置３はステップＳ１０８の後、アピリオディックＳＲＳの送受信に関する処理を終了する。なお、基地局装置３が、移動局装置１にピリオディックＳＲＳを周期的に送信するよう設定した場合、移動局装置１はステップＳ１０８の後にも周期的にピリオディックＳＲＳを送信し続ける。
【０１０８】
図９は、本発明の移動局装置１の動作の一例を示すフローチャートである。移動局装置１は、基地局装置３が送信したピリオディックＳＲＳの送信電力に関するパラメータPSRS_OFFSET(0)（第１パラメータ）とアピリオディックＳＲＳの送信電力に関するパラメータPSRS_OFFSET(1)（第２パラメータ）を受信する（ステップＳ２００）。移動局装置１が、アピリオディックＳＲＳを送信する場合（ステップＳ２０１−アピリオディックＳＲＳ）、少なくともPSRS_OFFSET(1)を用いてアピリオディックＳＲＳの送信電力を算出する（ステップＳ２０２）。ステップＳ２０１において、移動局装置１が、ピリオディックＳＲＳを送信する場合（ステップＳ２０１−ピリオディックＳＲＳ）、少なくともPSRS_OFFSET(0)を用いてピリオディックＳＲＳの送信電力を算出する（ステップＳ２０３）。
【０１０９】
移動局装置１は、ステップＳ２０２および／またはステップＳ２０３で算出した送信電力でアピリオディックＳＲＳおよび／またはピリオディックＳＲＳを送信する（ステップＳ２０４）。移動局装置１はステップＳ２０４の後、アピリオディックＳＲＳおよび／またはピリオディックＳＲＳの送信電力制御に関する処理を終了する。
【０１１０】
このように、本発明によれば、基地局装置３は、基地局装置３が設定し移動局装置１に通知した設定に従って移動局装置１が送信するピリオディックＳＲＳの送信電力制御に用いるPSRS_OFFSET(0)（第１パラメータ）と、基地局装置３がＳＲＳインディケータで要求した場合に、移動局装置１が送信するアピリオディックＳＲＳの送信電力制御に用いるPSRS_OFFSET(1)（第２パラメータ）を移動局装置１に設定し、移動局装置１は、ピリオディックＳＲＳを送信する際には少なくともPSRS_OFFSET(0)（第１パラメータ）を用いてピリオディックＳＲＳの送信電力制御を行ない、アピリオディックＳＲＳを送信する際には少なくともPSRS_OFFSET(1)（第２パラメータ）を用いてアピリオディックＳＲＳの送信電力制御を行ない、ピリオディックＳＲＳおよび／またはアピリオディックＳＲＳを送信する。
【０１１１】
これにより、基地局装置３は、ピリオディックＳＲＳとアピリオディックＳＲＳの帯域幅（物理リソースブロック数）MSRSなどに応じて、ピリオディックＳＲＳとアピリオディックＳＲＳ各々に対してPSRS_OFFSETを設定でき、移動局装置１が送信するピリオディックＳＲＳとアピリオディックＳＲＳ各々に対して最適な送信電力制御をすることができる。
【０１１２】
（変形例）
以下、本発明の変形例について説明する。本発明の変形例では、移動局装置１が複数の送信アンテナポートを備え、基地局装置３が移動局装置１の送信アンテナポート毎にPSRS_OFFSETを設定する場合について説明する。本発明の変形例の上りリンクでは、ピリオディックＳＲＳとアピリオディックの送信電力制御を送信アンテナポート毎に行なう。本発明の送信アンテナポート毎のピリオディックＳＲＳおよびアピリオディックＳＲＳの送信電力値を決定するために用いられる式を示す。
【０１１３】
【数３】
0005490173.tif 000004
（３）式において、PSRS_OFFSET(k, p)は、ＰＵＳＣＨとＳＲＳの基本となる送信電力の差を示すオフセットであり、上位層から指定される値である。ｋはピリオディックＳＲＳかアピリオディックＳＲＳかを示しており、ｐは移動局装置１の送信アンテナポートを示している。例えば、移動局装置１がｐ＝０とｐ＝１の２つの送信アンテナポートを備え、ピリオディックＳＲＳの場合にはｋ＝０、アピリオディックＳＲＳの場合にはｋ＝１とすると、基地局装置３は、移動局装置１に、ピリオディックＳＲＳを送信する際の送信アンテナポートｐ＝０に対するPSRS_OFFSET (0, 0)と送信アンテナポートｐ＝１に対するPSRS_OFFSET (0, 1)、アピリオディックＳＲＳを送信する際の送信アンテナポートｐ＝０に対するPSRS_OFFSET (1, 0)と送信アンテナポートｐ＝１に対するPSRS_OFFSET (1, 1)の４つの値を通知する。（３）式の他の変数は（２）式と同じであるので、同じ変数についての説明は省略する。
【０１１４】
図１０は、本発明の変形例の移動局装置１の動作の一例を示すフローチャートである。移動局装置１は、基地局装置３が送信したピリオディックＳＲＳの送信電力に関する送信アンテナポート毎のパラメータPSRS_OFFSET(0, p)（第１パラメータ）とアピリオディックＳＲＳの送信電力に関する送信アンテナポート毎のパラメータPSRS_OFFSET(1, p)（第２パラメータ）を受信する（ステップＳ３００）。移動局装置１が、アピリオディックＳＲＳを送信する場合（ステップＳ３０１−アピリオディックＳＲＳ）、少なくともPSRS_OFFSET(1, p)を用いてアピリオディックＳＲＳの送信電力を送信アンテナポート毎に算出する（ステップＳ３０２）。ステップＳ３０１において、移動局装置１が、ピリオディックＳＲＳを送信する場合（ステップＳ３０１−ピリオディックＳＲＳ）、少なくともPSRS_OFFSET(0, p)を用いてピリオディックＳＲＳの送信電力を送信アンテナポート毎に算出する（ステップＳ２０３）。
【０１１５】
移動局装置１は、ステップＳ３０２および／またはステップＳ３０３で算出した送信アンテナポート毎の送信電力でアピリオディックＳＲＳおよび／またはピリオディックＳＲＳを送信する（ステップＳ３０４）。移動局装置１はステップＳ３０４の後、アピリオディックＳＲＳおよび／またはピリオディックＳＲＳの送信電力制御に関する処理を終了する。
【０１１６】
このように本発明の変形例によれば、基地局装置３は、移動局装置１が備える複数の送信アンテナポート各々にPSRS_OFFSET(k, p)を設定し、移動局装置１は、ピリオディックＳＲＳおよび／またはアピリオディックＳＲＳを送信する際に、送信アンテナポート毎に少なくともPSRS_OFFSET(k, p)を用いてピリオディックＳＲＳおよびアピリオディックＳＲＳの送信電力制御を行なう。これにより、移動局装置１の優先度の高い送信アンテナポート（例えば、信号を送信している送信アンテナポート）の送信電力を高くし、優先度の低い送信アンテナポート（例えば、信号を送信しない送信アンテナポート）の送信電力を低くするような制御をすることができ、送信アンテナポートの優先度に応じて柔軟な送信電力の制御をすることができる。
【０１１７】
なお、本発明では、図８のステップＳ１００においてピリオディックＳＲＳ用のPSRS_OFFSET(0)（第１パラメータ）、アピリオディックＳＲＳ用のPSRS_OFFSET(1)（第２パラメータ）が送信電力制御に関するパラメータとして送受信されたが、ピリオディックＳＲＳ用のPSRS_OFFSET(0)（第１パラメータ）を、ステップＳ１０３でピリオディックＳＲＳに関するパラメータと一緒に送信してもよく、また、アピリオディックＳＲＳ用のPSRS_OFFSET(1)（第２パラメータ）をステップＳ１０２でアピリオディックに関するパラメータと一緒に送信してもよく、PSRS_OFFSET(0)（第１パラメータ）およびPSRS_OFFSET(1)（第２パラメータ）が他のどのようなパラメータと一緒に送信されてもよい。
【０１１８】
また、本発明では、基地局装置３が移動局装置１にアピリオディックＳＲＳ送信を要求する場合に、ＰＤＣＣＨを用いてアピリオディックＳＲＳを要求するＳＲＳインディケータを送信したが、ＳＲＳインディケータの送信方法はこれに限定されず、ＰＤＳＣＨで送信される無線リソース制御信号（Radio Resource Control signal）、ＭＡＣ（Medium Access Control）、ＣＥ（Control Element）などで送信されてもよい。
【０１１９】
また、本発明の変形例では、移動局装置１が基地局装置３に、自装置の送信アンテナポート数を通知することで、基地局装置３が移動局装置１の送信アンテナポート数を判別できるようにしてもよい。
【０１２０】
以上説明した本発明の特徴的な手段は、集積回路に手段を実装し、制御することによっても実現することができる。すなわち、本発明の集積回路は、基地局装置３と、基地局装置３に設定されたタイミングで上りリンクのチャネル測定用の第１参照信号を送信し、基地局装置３に送信を要求された場合に特定の回数だけ上りリンクのチャネル測定用の第２参照信号を送信する移動局装置１を有する無線通信システムに適用される集積回路であって、基地局装置３において、前記第１参照信号の送信電力制御に用いる第１パラメータと前記第２参照信号の送信電力制御に用いる第２パラメータを設定する手段、前記第１パラメータおよび第２パラメータを移動局装置１に通知する手段、移動局装置１において、前記第１参照信号を送信する際には少なくとも前記第１パラメータを用いて前記第１参照信号の送信電力制御を行ない、前記第２参照信号を送信する際には少なくとも前記第２パラメータを用いて前記第２参照信号の送信電力制御を行なう手段、前記第１参照信号および／または前記第２参照信号を送信する手段を有することを特徴とする。
【０１２１】
このように、本発明の集積回路を用いた無線通信システムにおいて、基地局装置３は、ピリオディックＳＲＳとアピリオディックＳＲＳの帯域幅（物理リソースブロック数）MSRSなどに応じて、ピリオディックＳＲＳとアピリオディックＳＲＳ各々に対してPSRS_OFFSETを設定でき、移動局装置１が送信するピリオディックＳＲＳとアピリオディックＳＲＳ各々に対して最適な送信電力制御をすることができる。
【０１２２】
また、本発明の集積回路は、基地局装置３において、移動局装置１が備える複数の送信アンテナポート各々に第１パラメータおよび第２パラメータを設定する手段、移動局装置１において、前記第１参照信号を送信する際には送信アンテナポート毎に少なくとも前記第１パラメータを用いて前記第１参照信号の送信電力制御を行ない、前記第２参照信号を送信する際には送信アンテナポート毎に少なくとも前記第２パラメータを用いて前記第２参照信号の送信電力制御を行なう手段を有することを特徴とする。
【０１２３】
このように、本発明の集積回路を用いた無線通信システムにおいて、基地局装置３は、移動局装置１の優先度の高い送信アンテナポート（例えば、信号を送信している送信アンテナポート）の送信電力を高くし、優先度の低い送信アンテナポート（例えば、信号を送信しない送信アンテナポート）の送信電力を低くするような制御をすることができ、送信アンテナポートの優先度に応じて柔軟な送信電力の制御をすることができる。
【０１２４】
本発明に関わる基地局装置３、および移動局装置１で動作するプログラムは、本発明に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行なわれる。
【０１２５】
なお、上述した実施形態における移動局装置１、基地局装置３の一部、をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、移動局装置１、又は基地局装置３に内蔵されたコンピュータシステムであって、ＯＳや周辺機器等のハードウェアを含むものとする。
【０１２６】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１２７】
また、上述した実施形態における移動局装置１、基地局装置３の一部、又は全部を典型的には集積回路であるＬＳＩとして実現してもよい。移動局装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０１２８】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【０１２９】
１、１Ａ〜１Ｃ  移動局装置
３  基地局装置
１０１  上位層処理部（基地局側上位層処理部）
１０３  制御部
１０５  受信部（基地局側受信部）
１０７  送信部（基地局側送信部）
１０９  チャネル測定部
１１１  送受信アンテナ
２０１  上位層処理部（移動局側上位層処理部）
２０３  制御部
２０５  受信部（移動局側受信部）
２０７  送信部（移動局側送信部）
２０９  チャネル測定部
２１１  送受信アンテナ
１０１１  無線リソース制御部
１０１３  ＳＲＳ設定部
１０１５  送信電力設定部
１０５１  復号化部
１０５３  復調部
１０５５  多重分離部
１０５７  無線受信部
１０７１  符号化部
１０７３  変調部
１０７５  多重部
１０７７  無線送信部
１０７９  上りリンク参照信号生成部
２０１１  無線リソース制御部
２０１３  ＳＲＳ制御部
２０１５  送信電力制御部
２０５１  復号化部
２０５３  復調部
２０５５  多重分離部
２０５７  無線受信部
２０７１  符号化部
２０７３  変調部
２０７５  多重部
２０７７  無線送信部
２０７９  上りリンク参照信号生成部
【図１】
0005490173.tif 000010
【図２】
0005490173.tif 000011
【図３】
0005490173.tif 000012
【図４】
0005490173.tif 000013
【図５】
0005490173.tif 000014
【図６】
0005490173.tif 000015
【図７】
0005490173.tif 000016
【図８】
0005490173.tif 000017
【図９】
0005490173.tif 000018
【図１０】
0005490173.tif 000019